(57)【要約】【課題】  ファクシミリ装置が画像データを受信したときにクライアントＰＣに受信通知信号を送信するため、予め登録されたクライアントＰＣしか画像データを取得することができなかった。【解決手段】  ファクシミリ装置と複数の情報処理装置とを備えたファクシミリシステムであって、ファクシミリ装置は、複数の情報処理装置のうち、受信した画像データを転送する転送先となる情報処理装置に対して、受信した画像データを転送し、転送先となる情報処理装置と他の情報処理装置との間での前記画像データの通信履歴情報を記憶し、転送先となる情報処理装置或いは他の情報処理装置からの要求に応じて、その記憶している通信履歴情報を、その取得要求の発行元へ送信し、転送先となる情報処理装置或いは他の情報処理装置からの更新要求に応じて、その記憶している通信履歴情報を更新する。そして他の情報処理装置は、通信履歴情報に基づいて、転送先となる情報処理装置から画像データを取得する。【選択図】  図５
2013017001.tif 000002
【特許請求の範囲】
【請求項１】
ファクシミリ装置と複数の情報処理装置とを備えたファクシミリシステムであって、
ファクシミリ装置は、
前記複数の情報処理装置のうち、受信した画像データを転送する転送先となる情報処理装置に対して、前記受信した画像データを転送する転送手段と、
前記転送先となる情報処理装置と他の情報処理装置との間での前記画像データの通信履歴情報を記憶する記憶手段と、
前記転送先となる情報処理装置或いは他の情報処理装置からの要求に応じて、前記記憶手段に記憶している前記通信履歴情報を、前記要求の発行元へ送信する送信手段と、
前記転送先となる情報処理装置或いは他の情報処理装置からの更新要求に応じて、前記記憶手段に記憶している前記通信履歴情報を更新する更新手段と、を有し、
前記他の情報処理装置は、前記通信履歴情報に基づいて、前記転送先となる情報処理装置から前記画像データを取得することを特徴とするファクシミリシステム。
【請求項２】
前記通信履歴情報は、前記転送先となる情報処理装置から前記他の情報処理装置に対して画像データを転送した日時、前記他の情報処理装置における前記画像データの格納先を示す情報を含み、
前記複数の情報処理装置に関する情報を登録する登録手段を更に有し、
前記送信手段は、前記登録手段に登録されている前記情報が画像データの共有が不可であることを示している情報処理装置に対して、前記画像データの格納先を示す情報を除く通信履歴情報を送信することを特徴とする請求項１に記載のファクシミリシステム。
【請求項３】
前記更新要求は、前記転送先となる情報処理装置或いは他の情報処理装置における前記画像データの通信履歴或いは前記画像データの削除を示す情報を含んでいることを特徴とする請求項１に記載のファクシミリシステム。
【請求項４】
ネットワークを介して複数の情報処理装置と通信可能なファクシミリ装置であって、
前記複数の情報処理装置のうち、受信した画像データを転送する転送先となる情報処理装置に対して、前記受信した画像データを転送する転送手段と、
前記転送先となる情報処理装置と他の情報処理装置との間での前記画像データの通信履歴情報を記憶する記憶手段と、
前記転送先となる情報処理装置或いは他の情報処理装置からの要求に応じて、前記記憶手段に記憶している前記通信履歴情報を、前記要求の発行元へ送信する送信手段と、
前記転送先となる情報処理装置或いは他の情報処理装置からの更新要求に応じて、前記記憶手段に記憶している前記通信履歴情報を更新する更新手段と、
を有することを特徴とするファクシミリ装置。
【請求項５】
前記通信履歴情報は、前記転送先となる情報処理装置から前記他の情報処理装置に対して画像データを転送した日時、前記他の情報処理装置における前記画像データの格納先を示す情報を含み、
前記複数の情報処理装置に関する情報を登録する登録手段を更に有し、
前記送信手段は、前記登録手段に登録されている前記情報が画像データの共有が不可であることを示している情報処理装置に対して、前記画像データの格納先を示す情報を除く通信履歴情報を送信することを特徴とする請求項４に記載のファクシミリ装置。
【請求項６】
前記更新要求は、前記転送先となる情報処理装置或いは他の情報処理装置における前記画像データの通信履歴或いは前記画像データの削除を示す情報を含んでいることを特徴とする請求項４に記載のファクシミリ装置。
【請求項７】
ネットワークを介して複数の情報処理装置と通信可能なファクシミリ装置を制御する制御方法であって、
前記複数の情報処理装置のうち、受信した画像データを転送する転送先となる情報処理装置に対して、前記受信した画像データを転送する転送工程と、
前記転送先となる情報処理装置と他の情報処理装置との間での前記画像データの通信履歴情報をメモリに記憶する記憶工程と、
前記転送先となる情報処理装置或いは他の情報処理装置からの要求に応じて、前記メモリに記憶している前記通信履歴情報を、前記要求の発行元へ送信する送信工程と、
前記転送先となる情報処理装置或いは他の情報処理装置からの更新要求に応じて、前記記憶手段に記憶している前記通信履歴情報を更新する更新工程とを有し、
前記他の情報処理装置は、前記通信履歴情報に基づいて、前記転送先となる情報処理装置から前記画像データを取得することを特徴とする制御方法。
【発明の詳細な説明】
【技術分野】
【０００１】
本発明は、ファクシミリ装置が受信したファクシミリ画像データを情報処理装置に転送する技術に関する。
【背景技術】
【０００２】
近年、サイズがコンパクトな画像形成装置の分野では、コスト競争が激しいだけでなく、更なる小型化かつ高機能が求められている。また、パーソナルコンピュータ（以降、ＰＣ）及びネットワークが広く普及し、画像形成装置とＰＣとが連携して、より利便性の高い機能を提供することが検討されている。例えばファクシミリ機能を有する画像形成装置に対してＰＣから画像データを送付し、その画像形成装置からファクシミリ回線に画像データを送信する機能がある。また逆に、画像形成装置がファクシミリ回線より受信した画像データをＰＣに送信し、その画像データを紙に印刷することなく、そのＰＣの画面でファクシミリ画像データを確認する機能がある。
【０００３】
例えば特許文献１では、ファクシミリ装置とクライアント装置（以降、クライアントＰＣ）とファイルサーバとを備えたファクシミリシステムが記載されている。そして、そのファクシミリ装置は、ファクシミリ回線より受信した画像データをファイルサーバへ転送し、かつクライアントＰＣに受信通知信号を送信する。これによりクライアントＰＣは、その受信通知信号に応答してファイルサーバから画像データを取得する。
【先行技術文献】
【特許文献】
【０００４】
【特許文献１】特開２００１−３２０５４１号公報
【発明の概要】
【発明が解決しようとする課題】
【０００５】
しかしながら、特許文献１に記載のファクシミリシステムでは、ファクシミリ装置が画像データを受信したときにクライアントＰＣに受信通知信号を送信するため、予め登録されたクライアントＰＣしか画像データを取得することができなかった。また、ファクシミリ回線より受信した画像データをファイルサーバに転送して格納した後、そのファイルサーバで画像データが削除されると、クライアントＰＣは受信した画像データを取得する術がなかった。
【０００６】
本発明の目的は、上記従来技術の問題点を解決することにある。
【０００７】
本発明の特徴は、ファクシミリ装置から転送先の情報処理装置に画像データを転送し、他の情報処理装置が、その転送先の情報処理装置から、その画像データを取得できる仕組みを提供することにある。
【課題を解決するための手段】
【０００８】
上記目的を達成するために本発明の一態様に係るファクシミリシステムは以下のような構成を備える。即ち、
ファクシミリ装置と複数の情報処理装置とを備えたファクシミリシステムであって、
ファクシミリ装置は、
前記複数の情報処理装置のうち、受信した画像データを転送する転送先となる情報処理装置に対して、前記受信した画像データを転送する転送手段と、
前記転送先となる情報処理装置と他の情報処理装置との間での前記画像データの通信履歴情報を記憶する記憶手段と、
前記転送先となる情報処理装置或いは他の情報処理装置からの要求に応じて、前記記憶手段に記憶している前記通信履歴情報を、前記要求の発行元へ送信する送信手段と、
前記転送先となる情報処理装置或いは他の情報処理装置からの更新要求に応じて、前記記憶手段に記憶している前記通信履歴情報を更新する更新手段と、を有し、
前記他の情報処理装置は、前記通信履歴情報に基づいて、前記転送先となる情報処理装置から前記画像データを取得することを特徴とする。
【発明の効果】
【０００９】
本発明によれば、ファクシミリ装置から転送先の情報処理装置に画像データを転送し、他の情報処理装置が、その転送先の情報処理装置から、その画像データを取得できる。これにより、予め転送先として登録されていない情報処理装置であっても、ファクシミリで受信した画像データを取得できるという効果がある。
【図面の簡単な説明】
【００１０】
【図１】本発明の実施形態に係るファクシミリシステムの構成を示すブロック図。
【図２】本発明の実施形態に係るファクシミリ装置のハードウェア構成を示すブロック図。
【図３】本実施形態に係るファクシミリ装置におけるＰＣ登録情報の一例を示す図。
【図４】本実施形態に係るファクシミリ装置における通信履歴情報の一例を示す図。
【図５】本実施形態に係るファクシミリ装置による処理を説明するフローチャート。
【図６】本実施形態に係るクライアントＰＣによる処理を説明するフローチャート。
【図７】本実施形態に係る転送先ＰＣによる処理を説明するフローチャート。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
図１は、本発明の実施形態に係るファクシミリシステム１００の構成を示すブロック図である。
【００１３】
この実施形態に係るファクシミリシステム１００は、公衆回線（通信回線）１３０を介して公衆回線網１４０に接続され、ネットワークを介して複数の情報処理装置と通信可能なたファクシミリ装置１０１を含んでいる。このファクシミリ装置１０１には、ＬＡＮ１５０を介してクライアントＰＣ（クライアント装置）１２０〜１２２及び画像データの転送先であるＰＣ（パーソナルコンピュータ）（以降、転送先ＰＣ）１１０が接続されている。この転送先ＰＣ１１０は、ファクシミリ装置１０１が、受信したファクシミリ画像データの転送先として選択したＰＣである。
【００１４】
ファクシミリ装置１０１は、クライアントＰＣからのＰＣ登録依頼を受けてＰＣ情報を登録する。クライアントＰＣ１２０〜１２２のいずれかでユーザがＰＣ登録情報を設定することにより、そのクライアントＰＣがファクシミリ画像データの転送先ＰＣ１１０となり得る。尚、転送先ＰＣ１１０とクライアントＰＣ１２０〜１２２は、市販されている一般的なＰＣで実現可能である。またクライアントＰＣ１２０〜１２２は、図では３台であるが、Ｎ（Ｎは２以上の整数）台接続されていても本発明に適応可能である。またネットワークはＬＡＮ１５０ではなく、ＵＳＢや無線ＬＡＮなど他のネットワークでも本発明に適応可能である。
【００１５】
図２は、本発明の実施形態に係るファクシミリ装置１０１のハードウェア構成を示すブロック図である。各ブロックはモジュールを示しており、ブロック間の矢印はデータもしくは指示の流れを示している。
【００１６】
ファクシミリ装置１０１は、印刷部２０７、読取部２０９、操作パネル２１０、回線Ｉ／Ｆ２１２、及び、これらの制御を司るコントローラ部２０１を有している。コントローラ部２０１は、ＣＰＵ２０２、ＲＡＭ２０３、ＲＯＭ２０４、印刷部Ｉ／Ｆ２０６、読取部Ｉ／Ｆ２０８、モデム２１１、ＵＳＢ・Ｉ／Ｆ２１３、ネットワークＩ／Ｆ２１４を含み、各ブロックはシステムバス２０５にて接続されている。ＣＰＵ２０２は、制御プログラムに従って前記の各ブロックを総括的に制御する。この制御プログラムは、ＲＯＭ２０４のプログラムＲＯＭに記憶されており、ＣＰＵ２０２がこの制御プログラムを読み出して、そのプログラムを実行することにより制御が行われる。或いは、プログラムＲＯＭに記憶された圧縮されたデータをＲＡＭ２０３へ伸張、展開し、そのプログラムをＣＰＵ２０２が実行することによりＣＰＵ２０２による制御が行われる。また、図示しないハードディスクドライブ（ＨＤＤ）に前述の制御プログラムを圧縮状態／非圧縮状態で格納してもよい。
【００１７】
ネットワークＩ／Ｆ２１４は、ネットワーク（ＬＡＮ）などを介してパーソナルコンピュータ（以降、ＰＣ）との通信処理を行う。モデム２１１は、回線Ｉ／Ｆ２１２を介して公衆回線網１４０と接続し、他のファクシミリ装置、電話機などと通信を行う。回線Ｉ／Ｆ２１２と公衆回線網１４０は、一般的に公衆回線１３０などで接続される。印刷部Ｉ／Ｆ２０６は、印刷部２０７（プリンタエンジン）に画像信号を出力するインターフェースを担う。また読取部Ｉ／Ｆ２０８は、読取部２０９（スキャナエンジン）からの読取画像信号を入力するインターフェースを担う。ＣＰＵ２０２は、読取部Ｉ／Ｆ２０８より入力された画像信号を処理し、記録用の画像信号として印刷部Ｉ／Ｆ２０６へ出力する。またＣＰＵ２０２は、ＲＯＭ２０４のフォントＲＯＭに記憶されたフォント情報を用いて、操作パネル２１０の表示部に文字や記号を表示したり、操作パネル２１０を使用したユーザの指示による指示情報を受け取る。また、ＲＯＭ２０４のデータＲＯＭ（メモリ）には、ＣＰＵ２０２によってファクシミリ装置１０１の装置情報や、ユーザの電話帳情報、部門管理情報などが記憶され、ＣＰＵ２０２により必要に応じて読み出され、必要に応じて更新される。この場合データＲＯＭは、例えば、ＥＥＰＲＯＭ等で構成されている。
【００１８】
尚、図２のブロック図では、読取部２０９及び印刷部２０７がファクシミリ装置１０１の内部にある構成としたが、いずれか、或いは両方とも、ファクシミリ装置１０１の外部にある構成でもよい。
【００１９】
図３は、本実施形態に係るファクシミリ装置におけるＰＣ登録情報の一例を示す図である。
【００２０】
ＰＣ登録情報には、ＰＣ番号３０１、ＰＣ名３０２、そのＰＣのＩＰアドレス３０３、画像データの転送先３０４、画像共有可否３０５が含まれる。ファクシミリ装置１０１は、クライアントＰＣからＰＣ登録依頼を受けてＲＯＭ２０４のデータＲＯＭにＰＣ登録情報を保存する。尚、画像データ転送先３０４は、ユーザが、そのＰＣを選択することで、画像データの転送先として決定される。又は、ファクシミリ装置１０１がＰＣ登録依頼を受けた順番が一番早いクライアントＰＣが、画像データ転送先３０４として決定されるようにしてもよい。
【００２１】
図３の例では、５台のＰＣが登録されており、画像データの転送先ＰＣとして「PC-2010-A」が指定されている。また「PC-2010-C」のみが画像データの共有が不可であるＰＣとして登録されている。画像データの共有の可否は、システムの管理者等によって予め決められたルールに従って、ＰＣ名やＩＰアドレス等のクライアントＰＣを識別する情報に基づいてファクシミリ装置が決定してもよい。
【００２２】
図４（Ａ）（Ｂ）は、本実施形態に係るファクシミリ装置における通信履歴情報の一例を示す図である。図４の例では、画像データの転送先ＰＣとして登録されている「PC-2010-A」とファクシミリ装置１０１との間での通信履歴と、その転送先ＰＣと他のＰＣとの間の画像データの転送日時と、画像データを格納している格納先ＰＣでのファイルパスなどが記憶されている。
【００２３】
図４（Ａ）に示す通信履歴情報には、履歴番号４０１、画像データの転送先ＰＣ４１０、画像データの取得先ＰＣ４２０が含まれる。尚、画像データの転送先ＰＣ４１０には、ＰＣ名とファイルパス４１１が含まれている。
【００２４】
ここでは、一つの通信履歴に対して画像データの取得先ＰＣ４２０には、複数のＰＣが登録可能である（実施形態では、（１−Ｎ）台が登録可能）。この通信履歴情報は、ファクシミリ装置１０１のデータＲＯＭに保存されている。ファクシミリ装置１０１は、転送先ＰＣへ画像データを送信すると、そのＰＣを画像データの転送先ＰＣ４１０に登録し、転送先ＰＣ１１０から通信履歴情報の更新要求を受けて画像データの転送先ＰＣ４１０を更新する。また画像データの取得先ＰＣ情報４２０は、クライアントＰＣからの通信履歴更新要求を受けて更新する。例えば、履歴番号が「１」の通信履歴によれば、転送先ＰＣ「PC-2010-A」に転送された画像データは、他のＰＣ（ここでは「PC-2010-B」「PC-2010-C」〜「PC-2010-D」）に転送されている。そして、各ＰＣのファイルパスで示されるエリアに格納されていることが分かる。尚、転送先ＰＣと他のＰＣとの画像データのやり取りを示す情報は、各ＰＣからの通信履歴の更新要求に応じて更新される。
【００２５】
図４（Ｂ）は、ファクシミリ装置１０１が、転送先ＰＣ１１０、又は、クライアントＰＣから通信履歴の取得要求を受けた場合の通信履歴情報の更新例を示している。ここでは、図３のＰＣ登録情報の画像共有可否３０５に基づき、４５１，４５２で示すように、画像共有が許可されていないＰＣ（PC-2010-C）のファイルパスを空にした送信用通信履歴情報を生成して送信する。
【００２６】
ファクシミリ装置１０１は、転送先ＰＣ１１０、又は、クライアントＰＣから通信履歴の更新要求を受信すると通信履歴情報を更新する。この更新要求に、ＰＣで画像データが削除された情報が含まれる場合は、４３０で示すように、ファイルパス４１１に、画像データが削除されたことが登録される。
【００２７】
図５は、本実施形態に係るファクシミリ装置１０１による処理を説明するフローチャートである。この処理を実行するプログラムはプログラムＲＯＭに記憶されており、この処理手順は、ＣＰＵ２０２がプログラムＲＯＭに記憶された制御プログラムに基づいて実行する処理に対応している。図５に示す各ステップは、ＣＰＵ２０２がプログラムＲＯＭに記憶された制御プログラムをＲＡＭ２０３にロードして実行することで実現されてもよい。
【００２８】
まずＳ５０１で、ＬＡＮ１５０に接続されたクライアントＰＣからのＰＣ登録依頼を待ち、ＰＣ登録依頼を受けた場合はＳ５０２へ進み、ＰＣ登録依頼がなかった場合はＳ５０３へ進む。Ｓ５０２では、クライアントＰＣから送信されたＰＣ登録情報に基づいて、例えば図３に示すＰＣ登録情報を作成してＳ５０３へ進む。
【００２９】
次にＳ５０３で、ユーザが操作パネル２１０を操作して入力する転送先ＰＣの設定の指示を待つ。転送先ＰＣの設定が指示されるとＳ５０４へ進み、図３に示すＰＣ登録情報の中から転送先ＰＣをユーザに選択させ、選択されたクライアントＰＣを転送先ＰＣとして設定する。更に、その設定されたクライアントＰＣに対して、転送先ＰＣとして設定された旨を通知してＳ５０５へ進む。尚、Ｓ５０３で、転送先ＰＣの指示がないときはＳ５０５へ進む。尚、Ｓ５０３では、例えば図３に示すＰＣ登録情報を基に、登録されているクライアントＰＣの一覧を表示し、その一覧表示の中からユーザが所望するクライアントＰＣを転送先ＰＣとして選択するようにしてもよい。
【００３０】
Ｓ５０５では、転送先ＰＣ１１０及びクライアントＰＣから通信履歴の更新要求を待つ。通信履歴の更新要求があった場合はＳ５０６へ進み、転送先ＰＣ１１０及びクライアントＰＣからの通信履歴の更新情報に基づいて、例えば図４（Ａ）に示すように、通信履歴情報を更新してＳ５０７へ進む。尚、Ｓ５０５で、通信履歴の更新要求がないときはＳ５０７へ進む。
【００３１】
Ｓ５０７では、転送先ＰＣ１１０及びクライアントＰＣから通信履歴情報の取得要求を待つ。通信履歴情報の取得要求があった場合はＳ５０８へ進み、図３のＰＣ登録情報と図４（Ａ）の通信履歴情報とに基づいて、例えば図４（Ｂ）に示す送信用の通信履歴情報を生成する。そして、その取得要求を送信した要求の発行元ＰＣへ、その送信用の通信履歴情報を送信してＳ５０９へ進む。尚、Ｓ５０７で、通信履歴情報の取得要求がないときはＳ５０９へ進む。
【００３２】
Ｓ５０９では、回線Ｉ／Ｆ２１２が通信信号を検知したかを確認する。通信信号を検知した場合は、Ｓ５１０へ進み、検知していない場合はＳ５０１へ戻る。Ｓ５１０では、回線を接続し公衆回線網１４０を介してファクシミリ画像データを受信してＲＡＭ２０３へ保存する。こうしてファクシミリ画像データの受信を完了した後Ｓ５１１へ進む。Ｓ５１１では、図３のＰＣ登録情報を基に、転送先ＰＣが設定されているかを判定する。ここで転送先ＰＣが設定されていた場合はＳ５１３へ進み、ＲＡＭ２０３に保存されたファクシミリ画像データを、その転送先ＰＣに対して送信してＳ５１４に進む。一方、転送先ＰＣが設定されていない場合はＳ５１２へ進み、ＲＡＭ２０３に保存されたファクシミリ画像データを画像処理し、印刷用の画像信号に変換して印刷部Ｉ／Ｆ２０６へ出力する。こうして印刷部２０７が、その画像信号に従って印刷を行い、印刷が完了するとＳ５１４へ進む。Ｓ５１４では、図４（Ａ）に示す通信履歴情報を更新して、このフローチャートを終了する。
【００３３】
このように本実施形態に係るファクシミリ装置によれば、転送先として登録されているＰＣに、受信したファクシミリ画像データを送信することができる。また、転送先ＰＣ１１０及びクライアントＰＣからの通信履歴の更新要求に従って通信履歴情報を更新することができる。更に、転送先ＰＣ１１０及びクライアントＰＣからの通信履歴の取得要求に応じて、その更新した通信履歴情報を、その要求元であるＰＣに対して送信することができる。その際、画像データの共有が許可されていないＰＣに対しては、その画像データのファイルパスを空にして送信するため（図４（Ｂ）参照）、画像データの共有の可否に応じた制御を行うことができる。
【００３４】
図６は、本実施形態に係るクライアントＰＣ（情報処理装置）による処理を説明するフローチャートである。
【００３５】
まずＳ６０１で、ＰＣはファクシミリ装置１０１から転送先ＰＣの登録通知を待つ。通知を受けた場合はＳ６０２へ進み、このＰＣは画像データの転送先ＰＣとしての処理（図７のフローチャート）に移行し、処理を終了する。一方、Ｓ６０１で、ファクシミリ装置１０１から転送先ＰＣの登録通知を受信しなかった場合はＳ６０３へ進み、ＰＣは、そのＰＣのユーザにより、ＰＣ登録情報が設定又は更新されたかを判定する。ＰＣ登録情報が設定又は更新された場合はＳ６０４へ進み、ＰＣはファクシミリ装置１０１に、その設定或いは更新されたＰＣ登録情報を送信してＳ６０５へ進む。一方、Ｓ６０３で、ＰＣ登録情報が設定または更新されていない場合はＳ６０５へ進む。尚、このＰＣ設定情報には、図３を参照して説明した、ファクシミリ装置１０１で管理されているＰＣ名、ＩＰアドレス、画像データの共有可否等の情報が含まれる。
【００３６】
次にＳ６０５に進み、ＰＣは、そのＰＣのユーザからの通信履歴情報の取得要求の入力を待つ。取得要求が入力されるとＳ６０６へ進み、ＰＣは通信履歴情報をファクシミリ装置１０１から取得してＳ６０７へ進む。一方、Ｓ６０５で、取得要求が入力されなかった場合はＳ６０７へ進む。
【００３７】
Ｓ６０７では、ＰＣは、そのＰＣのユーザにより通信履歴情報が更新されたかを確認する。更新された場合はＳ６０８へ進み、ＰＣは、その更新された通信履歴情報をファクシミリ装置１０１へ送信してＳ６０９へ進む。一方、Ｓ６０７で、更新されていない場合はＳ６０９へ進む。尚、この通信履歴情報の更新には、ファイルパスの変更、ファイルの削除等が含まれる。
【００３８】
次にＳ６０９に進み、ＰＣは、そのＰＣのユーザからの画像データの取得要求を待つ。ここではユーザは、ＰＣがＳ６０６で取得した通信履歴情報に基づき、図示しない取得可能な画像データの一覧から、ユーザが所望する画像データを選択することが可能である。こうしてユーザから画像データの取得要求が入力されるとＳ６１０へ進み、ＰＣはユーザが選択した画像データを、取得可能なＰＣ（転送先ＰＣ１１０、或いは画像データを取得済みのクライアントＰＣ）より取得してＳ６１１へ進む。一方、Ｓ６０９で取得要求がなかった場合はＳ６１１へ進む。Ｓ６１１では、ＰＣは他のクライアントＰＣから画像データの取得要求を待つ。画像データの取得要求があった場合はＳ６１２へ進み、ＰＣは、その画像データの取得要求元であるクライアントＰＣへ画像データを送信してＳ６０１へ戻る。一方、Ｓ６１１で、画像データの取得要求がなかった場合はＳ６０１に戻る。
【００３９】
これにより、クライアントＰＣで行った通信履歴情報の更新に伴って、その更新された通信履歴情報をファクシミリ装置１０１へ送信する。これによりファクシミリ装置１０１は、各ＰＣにおける画像データの通信履歴情報の更新を把握することができる。またクライアントＰＣは、ファクシミリ装置１０１が有している通信履歴情報を要求して取得することができるため、ファクシミリ装置１０１を介して他のクライアントＰＣが有しているファクシミリ画像データを把握できる。
【００４０】
図７は、本実施形態に係る転送先ＰＣ１１０による処理を説明するフローチャートである。
【００４１】
Ｓ７０１で、ＰＣはファクシミリ装置１０１から転送先ＰＣの解除通知を待つ。解除通知を受けた場合はＳ７０２へ進み、ＰＣはクライアントＰＣモードでの処理（図６のフローチャート）に移行し、処理を終了する。一方、解除通知を受けなかった場合はＳ７０３へ進み、ＰＣは、そのＰＣのユーザによりＰＣ登録情報が、設定または更新されたかを判定する。設定または更新された場合はＳ７０４へ進み、転送先ＰＣはファクシミリ装置１０１にＰＣ登録情報を送信してＳ７０５へ進む。一方、Ｓ７０３で、ＰＣ登録情報が設定又は更新されていない場合はＳ７０５へ進む。このＰＣ設定情報には、例えば図３に示すように、ファクシミリ装置１０１で管理されているＰＣ名、ＩＰアドレス、画像データの共有可否を示す情報などが含まれる。
【００４２】
次にＳ７０５に進み、ＰＣは、そのＰＣのユーザからの通信履歴情報の取得要求を待つ。取得要求があった場合はＳ７０６へ進み、ＰＣは通信履歴情報をファクシミリ装置１０１から取得してＳ７０７へ進む。一方、Ｓ７０５で、取得要求がなかった場合はＳ７０７へ進み、ＰＣは、そのＰＣのユーザにより通信履歴情報が更新されたかを判定する。ここで更新されたと判定した場合はＳ７０８へ進み、ＰＣは、その更新された通信履歴情報をファクシミリ装置１０１へ送信してＳ７０９へ進む。一方、更新されていない場合はＳ７０９へ進む。この通信履歴情報の更新には、ファイルパスの変更、ファイルの削除などが含まれる。
【００４３】
次にＳ７０９で、ＰＣはファクシミリ装置１０１からの画像データの受信通知を待つ。ファクシミリ装置１０１から画像データの受信通知があった場合はＳ７１０へ進み、ＰＣはファクシミリ装置１０１と通信して画像データを受信し、画像データの受信が完了するとＳ７１１へ進む。ここでＰＣは、このファクシミリ装置１０１との通信時に、ファイルパスを通知する。一方、Ｓ７０９で、受信通知がなかった場合はＳ７１１へ進む。尚、ファクシミリ装置１０１からの画像データの受信通知を受けずに、ＰＣがファクシミリ装置１０１の状態を定期的に確認して画像データ受信するようにしてもよい。
【００４４】
次にＳ７１１で、ＰＣはクライアントＰＣから画像データの取得要求を待つ。画像データの取得要求を受信するとＳ７１２へ進み、ＰＣは、その画像データの取得要求の送信元であるクライアントＰＣへ画像データを送信してＳ７０１へ戻る。また、画像データの取得要求を受信しなかった場合はＳ７０１に戻る。
【００４５】
以上説明したように本実施形態によれば、転送先ＰＣで行った通信履歴情報の更新に伴って、その更新された通信履歴情報をファクシミリ装置１０１へ送信する。これによりファクシミリ装置１０１は、転送先ＰＣにおける画像データの通信履歴情報の更新を把握することができる。また転送先ＰＣは、ファクシミリ装置１０１が有している通信履歴情報を要求して取得することができる。また他のクライアントＰＣからの画像データの要求に応じて、ファクシミリ装置１０１から受信して記憶している画像データを、そのクライアントＰＣに送信することができる。
【００４６】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2013017001.tif 000003
【図２】
2013017001.tif 000004
【図３】
2013017001.tif 000005
【図４】
2013017001.tif 000006
【図５】
2013017001.tif 000007
【図６】
2013017001.tif 000008
【図７】
2013017001.tif 000009